(57)【特許請求の範囲】
【請求項１】
電気機器と電線とを接続する接続装置であって、
前記電気機器に接続される第１の接続部材と、
前記第１の接続部材に取り付けられる平板状の固定部と、前記電線が接続される平板状の接続部とを有し、前記固定部は一方の表面と他方の表面とを有する、第２の接続部材とを備え、
前記第２の接続部材は、前記他方の表面が前記第１の接続部材に対向し前記接続部が前記接続装置の前後方向に延びる第１の姿勢と、前記一方の表面が前記第１の接続部材に対向し前記接続部が前記接続装置の左右方向に延びる第２の姿勢と、のいずれかの姿勢で、前記第１の接続部材に取り付けられる、電気機器の接続装置。
【請求項２】
前記第１の接続部材と前記第２の接続部材とを複数備える、請求項１に記載の電気機器の接続装置。
【請求項３】
互いに隣り合う２つの前記第２の接続部材を連結する連結部材を備える、請求項２に記載の電気機器の接続装置。
【請求項４】
前記連結部材は、碍子を有する、請求項３に記載の電気機器の接続装置。
【発明の詳細な説明】
【技術分野】
【０００１】
本発明は、電気機器の接続装置に関し、特に、電気機器と電線とを接続する接続装置に関する。
【背景技術】
【０００２】
電気機器を収容する箱体へ外部ケーブルを引き込む接続構造に関し、従来、Ｌ字状の接続器と、この接続器に接続された垂直引出し線とを経て、外部ケーブルと電気機器とを接続する構成が提案されている（たとえば、特開平８−７９９１７号公報（特許文献１）および特開平８−１４９６１３号公報（特許文献２）参照）。
【先行技術文献】
【特許文献】
【０００３】
【特許文献１】特開平８−７９９１７号公報
【特許文献２】特開平８−１４９６１３号公報
【発明の概要】
【発明が解決しようとする課題】
【０００４】
上記文献に開示された接続構造では、Ｌ字状の接続器の横穴に外部ケーブルを接続することにより、外部ケーブルを曲げずに内部機器との接続を可能にしている。しかし、外部ケーブルの引込み方向が変わり、横穴の延びる方向と外部ケーブルの引込み方向とが一致しなくなると、接続器に外部ケーブルを接続するには外部ケーブルを曲げる必要がある。
【０００５】
本発明の目的は、電気機器の据付け状況に応じて、電線を曲げることなく電気機器と電線とを接続できる、電気機器の接続装置を提供することである。
【課題を解決するための手段】
【０００６】
本発明に係る電気機器の接続装置は、電気機器と電線とを接続する接続装置であって、電気機器に接続される第１の接続部材と、第１の接続部材に取り付けられ、電線が接続される第２の接続部材とを備えている。第２の接続部材は、第２の接続部材が接続装置の前後方向に延びる第１の姿勢と、第２の接続部材が接続装置の左右方向に延びる第２の姿勢と、のいずれかの姿勢で、第１の接続部材に取り付けられる。
【０００７】
上記接続装置は、好ましくは、第１の接続部材と第２の接続部材とを複数備えている。
上記接続装置は、好ましくは、互いに隣り合う２つの第２の接続部材を連結する連結部材を備えている。
【０００８】
上記接続装置において好ましくは、連結部材は、碍子を有している。
【発明の効果】
【０００９】
本発明によると、電気機器の据付け状況に応じて、電線を曲げることなく電気機器と電線とを接続することができる。
【図面の簡単な説明】
【００１０】
【図１】本発明の実施の形態による無停電電源装置および接続装置の外観を示す斜視図である。
【図２】無停電電源装置の回路ブロック図である。
【図３】接続装置の接続導体に端子導体が付いていない状態を示す斜視図である。
【図４】図３に示す接続導体付近を拡大して示す斜視図である。
【図５】第１の端子導体の構成を示す斜視図である。
【図６】第２の端子導体の構成を示す斜視図である。
【図７】第３の端子導体の構成を示す斜視図である。
【図８】端子導体を接続導体に取り付けた状態を示す斜視図である。
【図９】端子導体を接続導体に取り付けた状態を示す平面図である。
【図１０】図３に示す接続導体に端子導体を取り付けた状態を示す斜視図である。
【図１１】端子導体に電線を接続した状態を示す第１の図である。
【図１２】端子導体に電線を接続した状態を示す第２の図である。
【図１３】図８とは異なる姿勢で、端子導体を接続導体に取り付けた状態を示す斜視図である。
【図１４】図１０とは異なる姿勢で、図３に示す接続導体に端子導体を取り付けた状態を示す斜視図である。
【図１５】端子導体に電線を接続した状態を示す第３の図である。
【発明を実施するための形態】
【００１１】
以下、図面に基づいて本発明の実施の形態を説明する。なお、以下の図面において同一または相当する部分には同一の参照符号を付し、その説明は繰り返さない。
【００１２】
図１は、本発明の実施の形態による無停電電源装置１００および接続装置１の外観を示す斜視図である。以下、本発明の思想に基づく接続装置１を適用可能な電気機器の一例として、無停電電源装置１００について説明するが、本発明の接続装置１は、電力変換装置などの任意の電気機器と電線とを接続する用途に適用可能である。
【００１３】
図１に示すように、無停電電源装置１００は、筐体１９０を備えている。無停電電源装置１００を構成する後述するコンバータ１０５、インバータ１０７などの各機器は、筐体１９０の内部に収容されている。筐体１９０は、略矩形状の外形を有している。筐体１９０は、天井面１９１と、前面１９２と、図示しない側面および底面とを有している。
【００１４】
筐体１９０の前面１９２には、開口部１９５が形成されている。開口部１９５は、筐体１９０の内部空間と、外部とを連通している。図示しない冷却ファンが運転することにより、開口部１９５を経由して、筐体１９０の前方から筐体１９０の内部へ、空気が流入可能とされている。筐体１９０の前面には、運転員が無停電電源装置１００の操作を行なうための、操作パネル１９８が設けられている。
【００１５】
接続装置１は、筐体９０を備えている。筐体９０は、略矩形状の外形を有している。筐体９０は、天井面９１と、前面９２と、左側面９３と、図１には図示しない底面９４とを有している。筐体９０の前面９２には、開口部９５が形成されている。開口部９５は、筐体９０の内部空間と、外部とを連通している。
【００１６】
図１中の矢印で示す前方向を、無停電電源装置１００および接続装置１の前方向とする。図１中の矢印で示す後方向を、無停電電源装置１００および接続装置１の後方向とする。図１中の矢印で示す右方向を、無停電電源装置１００および接続装置１の右方向とする。図１中の矢印で示す左方向を、無停電電源装置１００および接続装置１の左方向とする。
【００１７】
図１に示す筐体９０および筐体１９０は、一体化されて形成されており、筐体９０の内部空間と筐体１９０の内部空間とは、互いに連通している。
【００１８】
図２は、無停電電源装置１００の回路ブロック図である。図２に示すように、無停電電源装置１００は、バイパス入力端子Ｔ１と、交流入力端子Ｔ２と、交流出力端子Ｔ３と、直流入力端子Ｔ４とを有している。
【００１９】
バイパス入力端子Ｔ１は、交流電源１２１から交流電力を受ける。交流入力端子Ｔ２は、交流電源１２２から交流電力を受ける。交流電源１２１，１２２は、商用交流電源、自家用発電機などである。交流電力は、三相または単相である。本実施の形態では、交流電源は三相である。交流出力端子Ｔ３には、負荷１２３が接続されている。直流入力端子Ｔ４は、バッテリ１３０の正極１３０ａに接続されている。
【００２０】
無停電電源装置１００は、スイッチ１１２、コンバータ１０５、インバータ１０７、無瞬断切替スイッチ１１４、およびスイッチ１１５を有している。交流入力端子Ｔ２と交流出力端子Ｔ３の間に、スイッチ１１２、コンバータ１０５、インバータ１０７、および無瞬断切替スイッチ１１４が、順に直列接続されている。スイッチ１１５は、コンバータ１０５の出力端子と直流入力端子Ｔ４との間に直列接続されている。
【００２１】
バイパス入力端子Ｔ１は、無瞬断切替スイッチ１１４に接続されている。バイパス入力端子Ｔ１から無瞬断切替スイッチ１１４に至る経路と、交流入力端子Ｔ２から無瞬断切替スイッチ１１４に至る経路とは、無瞬断切替スイッチ１１４に対して交流電流の上流側で、互いに電気的に並列に設けられている。無瞬断切替スイッチ１１４は、交流出力端子Ｔ３を介して、負荷１２３に電気的に接続されている。
【００２２】
無停電電源装置１００は、インバータ１０７によって生成された交流電力を負荷１２３に供給するインバータ給電モード、および、交流電源１２１から負荷１２３に交流電力を供給するバイパス給電モードを有している。
【００２３】
インバータ給電モードにおいて、コンバータ１０５は、交流電源１２２から交流電力を受け、交流電力を直流電力に変換して、その直流電力をインバータ１０７およびバッテリ１３０に供給する。バッテリ１３０は、コンバータ１０５によって生成された直流電力を貯蔵する。バッテリ１３０は、電力貯蔵装置としての機能を有している。インバータ１０７は、コンバータ１０５からの直流電力を交流電力に変換して、交流電力を出力する。インバータ１０７によって生成された交流電力が、負荷１２３に供給される。
【００２４】
交流電源１２２からの交流電力の供給が停止された停電時には、コンバータ１０５の運転が停止され、バッテリ１３０がインバータ１０７に直流電力を供給する。インバータ１０７は、バッテリ１３０からの直流電力を交流電力に変換して、交流電力を出力する。インバータ１０７によって生成された交流電力が、負荷１２３に供給される。
【００２５】
インバータ給電モード時には、無停電電源装置１００のスイッチ１１２およびスイッチ１１５は、導通状態である。
【００２６】
無停電電源装置１００の保守点検作業または交換作業時には、バイパス給電モードでの運転が行なわれる。バイパス給電モードでは、スイッチ１１２は、非導通状態である。バイパス給電モードでは、交流電源１２１から交流電力が負荷１２３に供給される。
【００２７】
インバータ給電モード時においてコンバータ１０５またはインバータ１０７の故障が生じた場合に、無停電電源装置は、インバータ給電モードからバイパス給電モードに切り替わる。無瞬断切替スイッチ１１４は、インバータ給電モード時においてコンバータ１０５またはインバータ１０７の故障が生じた場合に、交流電源１２１から供給される交流電力を負荷１２３へ瞬時に供給する。
【００２８】
図３は、接続装置１の接続導体に後述する端子導体が付いていない状態の、筐体９０内部の一部構成を示す斜視図である。図３には、図１に示す筐体９０，１９０の外表面を構成している板状の部材を取り外し、接続装置１の筐体９０の内部を視認可能とした状態が示されている。なお、図３および後述する図では、無停電電源装置１００を構成している図２に示す各種の機器を、全体として纏めて矩形状の箱とし、模式的に図示する。
【００２９】
接続装置１は、筐体９０を支持するためのフレーム２を有している。無停電電源装置１００は、筐体１９０を支持するためのフレーム１０２を有している。上述した通り、本実施の形態の筐体９０および筐体１９０は一体化されて形成されている。そのため、フレーム２およびフレーム１０２もまた、一体の構造体として形成されている。なお、図３および後述する図では、筐体９０の内部の構成をより容易に理解できるように、フレーム２を構成している柱部材のうちの一つが、図示を省略されている。
【００３０】
フレーム２の後側の柱部材に、支持部材３，４，５が取り付けられている。支持部材３，４，５は、各々、フレーム２の後側の一対の柱部材間に亘り、一対の柱部材の両方に固定されている。支持部材３、支持部材４および支持部材５は、上から下に向かってこの順に並べられて配置されている。支持部材３，４，５は、略平板状の形状を有している。支持部材３，４，５は、上下方向に延び、かつ左右方向に延びている。
【００３１】
上下方向における、支持部材３と同じ位置に、接続導体１０Ｕ，１０Ｖ，１０Ｗが配置されている。接続導体１０Ｕは、図２に示す交流入力端子Ｔ２に含まれているＵ相端子に、電気的に接続されている。接続導体１０Ｖは、図２に示す交流入力端子Ｔ２に含まれているＶ相端子に、電気的に接続されている。接続導体１０Ｗは、図２に示す交流入力端子Ｔ２に含まれているＷ相端子に、電気的に接続されている。
【００３２】
上下方向における、支持部材４と同じ位置に、接続導体２０Ｕ，２０Ｖ，２０Ｗが配置されている。接続導体２０Ｕは、図２に示すバイパス入力端子Ｔ１に含まれているＵ相端子に、電気的に接続されている。接続導体２０Ｖは、図２に示すバイパス入力端子Ｔ１に含まれているＶ相端子に、電気的に接続されている。接続導体２０Ｗは、図２に示すバイパス入力端子Ｔ１に含まれているＷ相端子に、電気的に接続されている。
【００３３】
上下方向における、支持部材５と同じ位置に、接続導体３０Ｕ，３０Ｖ，３０Ｗが配置されている。接続導体３０Ｕは、図２に示す交流出力端子Ｔ３に含まれているＵ相端子に、電気的に接続されている。接続導体３０Ｖは、図２に示す交流出力端子Ｔ３に含まれているＶ相端子に、電気的に接続されている。接続導体３０Ｗは、図２に示す交流出力端子Ｔ３に含まれているＷ相端子に、電気的に接続されている。
【００３４】
図４は、図３に示す接続導体１０Ｕ，１０Ｖ，１０Ｗ付近を拡大して示す斜視図である。図４では、図３に示す接続導体のうち、上方に設けられている接続導体１０Ｕ，１０Ｖ，１０Ｗの構成の詳細について説明するが、他の接続導体２０Ｕ，２０Ｖ，２０Ｗおよび接続導体３０Ｕ，３０Ｖ，３０Ｗも、接続導体１０Ｕ，１０Ｖ，１０Ｗと同じ構成を有している。
【００３５】
図４に示す接続導体１０Ｕ，１０Ｖ，１０Ｗは、導電性材料で形成されている。接続導体１０Ｕ，１０Ｖ，１０Ｗは、細長板状に形成されており、長手方向における一端部が屈曲した形状を有している。接続導体１０Ｕ，１０Ｖ，１０Ｗは、後から前へ向かう方向において、この順に並べられている。
【００３６】
接続導体１０Ｕは、細長平板状の基部１１Ｕと、矩形平板状の屈曲部１２Ｕとを有している。基部１１Ｕは、支持部材３と平行に配置されている。基部１１Ｕは、上下方向に延び、かつ左右方向に延びている。屈曲部１２Ｕは、基部１１Ｕの長手方向における一端部に設けられている。屈曲部１２Ｕは、基部１１Ｕの左側の端部に接合されている。一枚の板材が曲げ変形されて、基部１１Ｕおよび屈曲部１２Ｕが一体に形成されてもよい。
【００３７】
屈曲部１２Ｕの延びる方向は、基部１１Ｕの延びる方向に対して異なっている。屈曲部１２Ｕの長辺の一方が基部１１Ｕに繋ぎ合わされており、屈曲部１２Ｕの長辺の他方は基部１１Ｕよりも前方に配置されている。基部１１Ｕと屈曲部１２Ｕとは、鈍角を形成している。屈曲部１２Ｕは、表面１２Ｕａを有している。屈曲部１２Ｕには、複数の貫通孔１２ｈが形成されている。貫通孔１２ｈは、接続導体１０Ｕと、後述する端子導体とを接続するために用いられる。
【００３８】
接続導体１０Ｖは、細長平板状の基部１１Ｖと、矩形平板状の屈曲部１２Ｖとを有している。基部１１Ｖは、支持部材３と平行に配置されている。基部１１Ｖは、上下方向に延び、かつ左右方向に延びている。屈曲部１２Ｖは、基部１１Ｖの長手方向における一端部に設けられている。屈曲部１２Ｖは、基部１１Ｖの左側の端部に接合されている。一枚の板材が曲げ変形されて、基部１１Ｖおよび屈曲部１２Ｖが一体に形成されてもよい。
【００３９】
屈曲部１２Ｖの延びる方向は、基部１１Ｖの延びる方向に対して異なっている。屈曲部１２Ｖの長辺の一方が基部１１Ｖに繋ぎ合わされており、屈曲部１２Ｖの長辺の他方は基部１１Ｖよりも前方に配置されている。基部１１Ｖと屈曲部１２Ｖとは、鈍角を形成している。屈曲部１２Ｖは、表面１２Ｖａを有している。屈曲部１２Ｖには、複数の貫通孔１２ｈが形成されている。貫通孔１２ｈは、接続導体１０Ｖと、後述する端子導体とを接続するために用いられる。
【００４０】
接続導体１０Ｗは、細長平板状の基部１１Ｗと、矩形平板状の屈曲部１２Ｗとを有している。基部１１Ｗは、支持部材３と平行に配置されている。基部１１Ｗは、上下方向に延び、かつ左右方向に延びている。屈曲部１２Ｗは、基部１１Ｗの長手方向における一端部に設けられている。屈曲部１２Ｗは、基部１１Ｗの左側の端部に接合されている。一枚の板材が曲げ変形されて、基部１１Ｗおよび屈曲部１２Ｗが一体に形成されてもよい。
【００４１】
屈曲部１２Ｗの延びる方向は、基部１１Ｗの延びる方向に対して異なっている。屈曲部１２Ｗの長辺の一方が基部１１Ｗに繋ぎ合わされており、屈曲部１２Ｗの長辺の他方は基部１１Ｗよりも前方に配置されている。基部１１Ｗと屈曲部１２Ｗとは、鈍角を形成している。屈曲部１２Ｗは、表面１２Ｗａを有している。屈曲部１２Ｗには、複数の貫通孔１２ｈが形成されている。貫通孔１２ｈは、接続導体１０Ｗと、後述する端子導体とを接続するために用いられる。
【００４２】
接続導体１０Ｕの基部１１Ｕと、接続導体１０Ｖの基部１１Ｖと、接続導体１０Ｗの基部１１Ｗとは、互いに平行に配置されている。接続導体１０Ｕの屈曲部１２Ｕと、接続導体１０Ｖの屈曲部１２Ｖと、接続導体１０Ｗの屈曲部１２Ｗとは、互いに平行に配置されている。接続導体１０Ｕの屈曲部１２Ｕが基部１１Ｕに対して屈曲して成す角度と、接続導体１０Ｖの屈曲部１２Ｖが基部１１Ｖに対して屈曲して成す角度と、接続導体１０Ｗの屈曲部１２Ｗが基部１１Ｗに対して屈曲して成す角度とは、全て等しくなっている。
【００４３】
接続導体１０Ｕと接続導体１０Ｖとは、連結部材７２によって連結されている。連結部材７２は、互いに隣り合う２つの接続導体１０Ｕと接続導体１０Ｖとを連結している。連結部材７２は、導電部７２ａと、絶縁部７２ｂとを有している。導電部７２ａは、接続導体１０Ｕの基部１１Ｕに固定されている。絶縁部７２ｂは、接続導体１０Ｖの基部１１Ｖに固定されている。導電部７２ａと絶縁部７２ｂとは、一体に連結されている。
【００４４】
接続導体１０Ｖと接続導体１０Ｗとは、連結部材７３によって連結されている。連結部材７３は、互いに隣り合う２つの接続導体１０Ｖと接続導体１０Ｗとを連結している。連結部材７３は、導電部７３ａと、絶縁部７３ｂとを有している。導電部７３ａは、接続導体１０Ｖの基部１１Ｖに固定されている。絶縁部７３ｂは、接続導体１０Ｗの基部１１Ｗに固定されている。導電部７３ａと絶縁部７３ｂとは、一体に連結されている。
【００４５】
接続導体１０Ｕは、固定部材７１を介して、支持部材３に固定されている。接続導体１０Ｗは、固定部材７４を介して、フレーム２に固定されている。連結部材７２，７３を用いて一体に連結された接続導体１０Ｕ，１０Ｖ，１０Ｗの一体構造が、固定部材７１，７４を用いて、フレーム２に固定されている。
【００４６】
図５は、第１の端子導体４０の構成を示す斜視図である。図６は、第２の端子導体５０の構成を示す斜視図である。図７は、第３の端子導体６０の構成を示す斜視図である。端子導体４０，５０，６０は、導電性材料で形成されている。端子導体４０，５０，６０は、接続導体１０Ｕ，１０Ｖ，１０Ｗのいずれか、または、接続導体２０Ｕ，２０Ｖ，２０Ｗもしくは接続導体３０Ｕ，３０Ｖ，３０Ｗのいずれかに取り付けられる。接続装置１の筐体９０内部に引き込まれた電線は、端子導体４０，５０，６０のいずれかに接続される。
【００４７】
図５に示すように、端子導体４０は、固定部４１と、連結部４２と、接続部４３とを有している。固定部４１、連結部４２および接続部４３は、各々矩形平板状の形状を有している。固定部４１は、いずれかの接続導体に取り付けられる。接続部４３に電線が接続される。連結部４２は、固定部４１と接続部４３とを繋いでいる。平板状の固定部４１、連結部４２および接続部４３の各々の延びる方向は、互いに異なっている。固定部４１と連結部４２とは、湾曲部４４を介して繋ぎ合わされている。連結部４２と接続部４３とは、湾曲部４５を介して繋ぎ合わされている。
【００４８】
固定部４１の延びる方向と、連結部４２の延びる方向とは、鈍角を形成している。固定部４１と連結部４２とが形成する角度は、端子導体４０が取り付けられる接続導体の基部と屈曲部とが形成する角度と等しい。接続部４３は、連結部４２の延びる方向に対して直交する方向に延びている。連結部４２の延びる平面に対して、固定部４１と接続部４３とは、互いに反対方向に突出している。
【００４９】
固定部４１は、一方の表面４１ａと、他方の表面４１ｂとを有している。固定部４１には、一方の表面４１ａから他方の表面４１ｂまで固定部４１を厚み方向に貫通する、複数の貫通孔４１ｈが形成されている。接続導体の屈曲部に形成された貫通孔と同数の貫通孔４１ｈが、固定部４１に形成されている。接続導体の屈曲部に形成された貫通孔と固定部４１に形成された貫通孔４１ｈとの両方を貫通してボルトが締結されることにより、端子導体４０が接続導体に固定される。
【００５０】
連結部４２には、複数の貫通孔４２ｈが形成されている。貫通孔４２ｈは、端子導体４０と、端子導体４０の隣に配置される他の端子導体とを連結するために用いられる。
【００５１】
接続部４３には、複数の貫通孔４３ｈが形成されている。貫通孔４３ｈは、電線を接続部４３に接続するために用いられる。複数の貫通孔４３ｈのいずれかに、電線の先端部分が接続される。接続部４３には、縦横３×３の合計９個の貫通孔４３ｈが形成されている。貫通孔４３ｈが二次元的に配置されているので、電線を接続部４３に接続するときに適切な貫通孔４３ｈを選定して、電線と周辺の部材との干渉を容易に回避可能とされている。
【００５２】
図６に示すように、端子導体５０は、固定部５１と、連結部５２と、接続部５３とを有している。固定部５１、連結部５２および接続部５３は、各々平板状の形状を有している。固定部５１は、いずれかの接続導体に取り付けられる。接続部５３に電線が接続される。連結部５２は、固定部５１と接続部５３とを繋いでいる。平板状の固定部５１、連結部５２および接続部５３の各々の延びる方向は、互いに異なっている。固定部５１と連結部５２とは、湾曲部５４を介して繋ぎ合わされている。連結部５２と接続部５３とは、湾曲部５５を介して繋ぎ合わされている。
【００５３】
固定部５１の延びる方向と、連結部５２の延びる方向とは、鈍角を形成している。固定部５１と連結部５２とが形成する角度は、端子導体５０が取り付けられる接続導体の基部と屈曲部とが形成する角度と等しい。接続部５３は、連結部５２の延びる方向に対して直交する方向に延びている。連結部５２の延びる平面に対して、固定部５１と接続部５３とは、互いに反対方向に突出している。
【００５４】
固定部５１は、一方の表面５１ａと、他方の表面５１ｂとを有している。固定部５１には、一方の表面５１ａから他方の表面５１ｂまで固定部５１を厚み方向に貫通する、複数の貫通孔５１ｈが形成されている。接続導体の屈曲部に形成された貫通孔と同数の貫通孔５１ｈが、固定部５１に形成されている。接続導体の屈曲部に形成された貫通孔と固定部５１に形成された貫通孔５１ｈとの両方を貫通してボルトが締結されることにより、端子導体５０が接続導体に固定される。
【００５５】
連結部５２には、複数の貫通孔５２ｈが形成されている。貫通孔５２ｈは、端子導体５０と、端子導体５０の隣に配置される他の端子導体とを連結するために用いられる。
【００５６】
接続部５３には、複数の貫通孔５３ｈが形成されている。貫通孔５３ｈは、電線を接続部５３に接続するために用いられる。複数の貫通孔５３ｈのいずれかに、電線の先端部分が接続される。接続部５３には、縦横３×３の合計９個の貫通孔５３ｈが形成されている。貫通孔５３ｈが二次元的に配置されているので、電線を接続部５３に接続するときに適切な貫通孔５３ｈを選定して、電線と周辺の部材との干渉を容易に回避可能とされている。
【００５７】
図７に示すように、端子導体６０は、固定部６１と、連結部６２と、接続部６３とを有している。固定部６１、連結部６２および接続部６３は、各々平板状の形状を有している。固定部６１は、いずれかの接続導体に取り付けられる。接続部６３に電線が接続される。連結部６２は、固定部６１と接続部６３とを繋いでいる。平板状の固定部６１、連結部６２および接続部６３の各々の延びる方向は、互いに異なっている。固定部６１と連結部６２とは、湾曲部６４を介して繋ぎ合わされている。連結部６２と接続部６３とは、湾曲部６５を介して繋ぎ合わされている。
【００５８】
固定部６１の延びる方向と、連結部６２の延びる方向とは、鈍角を形成している。固定部６１と連結部６２とが形成する角度は、端子導体６０が取り付けられる接続導体の基部と屈曲部とが形成する角度と等しい。接続部６３は、連結部６２の延びる方向に対して直交する方向に延びている。連結部６２の延びる平面に対して、固定部６１と接続部６３とは、互いに反対方向に突出している。
【００５９】
固定部６１は、一方の表面６１ａと、他方の表面６１ｂとを有している。固定部６１には、一方の表面６１ａから他方の表面６１ｂまで固定部６１を厚み方向に貫通する、複数の貫通孔６１ｈが形成されている。接続導体の屈曲部に形成された貫通孔と同数の貫通孔６１ｈが、固定部６１に形成されている。接続導体の屈曲部に形成された貫通孔と固定部６１に形成された貫通孔６１ｈとの両方を貫通してボルトが締結されることにより、端子導体６０が接続導体に固定される。
【００６０】
連結部６２には、複数の貫通孔６２ｈが形成されている。貫通孔６２ｈは、端子導体６０と、端子導体６０の隣に配置される他の端子導体とを連結するために用いられる。
【００６１】
接続部６３には、複数の貫通孔６３ｈが形成されている。貫通孔６３ｈは、電線を接続部６３に接続するために用いられる。複数の貫通孔６３ｈのいずれかに、電線の先端部分が接続される。接続部６３には、縦横３×３の合計９個の貫通孔６３ｈが形成されている。貫通孔６３ｈが二次元的に配置されているので、電線を接続部６３に接続するときに適切な貫通孔６３ｈを選定して、電線と周辺の部材との干渉を容易に回避可能とされている。
【００６２】
端子導体４０，５０，６０の固定部４１，５１，６１は、同一の平板形状に形成されている。端子導体４０，５０，６０の接続部４３，５３，６３は、同一の平板形状に形成されている。端子導体４０，５０，６０の連結部４２，５２，６２は、矩形の一辺の長さを等しくし、図５〜７の左右方向に延びる他辺の長さを互いに異ならせている。連結部６２の上記他辺の長さを基準値とした場合、連結部５２の上記他辺は基準値の２倍の長さを有しており、連結部４２の上記他辺は基準値の３倍の長さを有している。
【００６３】
図８は、端子導体４０，５０，６０を接続導体１０Ｕ，１０Ｖ，１０Ｗに取り付けた状態を示す斜視図である。図９は、端子導体４０，５０，６０を接続導体１０Ｕ，１０Ｖ，１０Ｗに取り付けた状態を示す平面図である。図８，９に示すように、端子導体４０は接続導体１０Ｕに取り付けられている。端子導体５０は接続導体１０Ｖに取り付けられている。端子導体６０は接続導体１０Ｗに取り付けられている。
【００６４】
端子導体４０の固定部４１の他方の表面４１ｂが、接続導体１０Ｕの屈曲部１２Ｕの表面１２Ｕａに対向している。固定部４１の他方の表面４１ｂは、屈曲部１２Ｕの表面１２Ｕａに面接触している。端子導体４０の連結部４２は、接続導体１０Ｕの基部１１Ｕと同じ方向に延びている。連結部４２は、上下方向に延び、かつ左右方向に延びている。連結部４２に対して直交している接続部４３は、上下方向に延び、かつ前後方向に延びている。
【００６５】
端子導体５０の固定部５１の他方の表面５１ｂが、接続導体１０Ｖの屈曲部１２Ｖの表面１２Ｖａに対向している。固定部５１の他方の表面５１ｂは、屈曲部１２Ｖの表面１２Ｖａに面接触している。端子導体５０の連結部５２は、接続導体１０Ｖの基部１１Ｖと同じ方向に延びている。連結部５２は、上下方向に延び、かつ左右方向に延びている。連結部５２に対して直交している接続部５３は、上下方向に延び、かつ前後方向に延びている。
【００６６】
端子導体６０の固定部６１の他方の表面６１ｂが、接続導体１０Ｗの屈曲部１２Ｗの表面１２Ｗａに対向している。固定部６１の他方の表面６１ｂは、屈曲部１２Ｗの表面１２Ｗａに面接触している。端子導体６０の連結部６２は、接続導体１０Ｗの基部１１Ｗと同じ方向に延びている。連結部６２は、上下方向に延び、かつ左右方向に延びている。連結部６２に対して直交している接続部６３は、上下方向に延び、かつ前後方向に延びている。
【００６７】
接続部４３，５３，６３は、互いに平行に配置されている。接続部４３と接続部５３とは、左右方向に隣り合って、間隔を空けて並べられている。接続部５３と接続部６３とは、左右方向に隣り合って、間隔を空けて並べられている。接続部５３は、接続部４３よりも右側かつ前側に配置されている。接続部６３は、接続部５３よりも右側かつ前側に配置されている。
【００６８】
接続部４３，５３，６３は、前後方向および左右方向において、互いにずれた位置に配置されている。左右方向から見て、接続部４３の一部が接続部５３と重なり、接続部５３の一部が接続部４３，６３と重なり、接続部６３の一部が接続部５３と重なっている。
【００６９】
連結部４２，５２，６２は、互いに平行に配置されている。連結部４２と連結部５２とは、前後方向に隣り合って、間隔を空けて並べられている。連結部５２と連結部６２とは、前後方向に隣り合って、間隔を空けて並べられている。連結部５２は、連結部４２よりも右側かつ前側に配置されている。連結部６２は、連結部５２よりも右側かつ前側に配置されている。連結部４２，５２，６２は、前後方向および左右方向において互いにずれた位置に配置されている。
【００７０】
前後方向において互いに隣り合う端子導体４０と端子導体５０とは、連結部材８１によって互いに連結されている。連結部材８１を介して、端子導体４０と端子導体５０とは、一体の構造体として形成されている。
【００７１】
連結部材８１は、端子導体４０の連結部４２に取り付けられた板金８２と、端子導体５０の連結部５２に取り付けられた板金８３と、板金８２，８３の間に介在している碍子８４とを有している。板金８２は、連結部４２の前面に取り付けられている。板金８３は、連結部５２の背面に取り付けられている。碍子８４は、端子導体４０と端子導体５０とを電気的に絶縁している。板金８２、碍子８４および板金８３は、後側から前側へ向かってこの順に並べられて、一体に連結されている。
【００７２】
前後方向において互いに隣り合う端子導体５０と端子導体６０とは、連結部材８６によって互いに連結されている。連結部材８６を介して、端子導体５０と端子導体６０とは、一体の構造体として形成されている。
【００７３】
連結部材８６は、端子導体５０の連結部５２に取り付けられた板金８７と、端子導体６０の連結部６２に取り付けられた板金８８と、板金８７，８８の間に介在している碍子８９とを有している。板金８７は、連結部５２の前面に取り付けられている。板金８８は、連結部６２の背面に取り付けられている。碍子８９は、端子導体５０と端子導体６０とを電気的に絶縁している。板金８７、碍子８９および板金８８は、後側から前側へ向かってこの順に並べられて、一体に連結されている。
【００７４】
図１０は、図３に示す接続導体に端子導体４０，５０，６０を取り付けた状態を示す斜視図である。上述した接続導体１０Ｕ，１０Ｖ，１０Ｗのそれぞれに端子導体４０，５０，６０が取り付けられている構成と同様に、接続導体２０Ｕ，２０Ｖ，２０Ｗのそれぞれに端子導体４０，５０，６０が取り付けられており、接続導体３０Ｕ，３０Ｖ，３０Ｗのそれぞれに端子導体４０，５０，６０が取り付けられている。
【００７５】
図１１は、端子導体４０，５０，６０に電線Ｕ，Ｖ，Ｗを接続した状態を示す第１の図である。電線Ｕ，Ｖ，Ｗは、図１に示す天井面９１を貫通して、上方から筐体９０の内部へ引き込まれている。電線Ｕ，Ｖ，Ｗは、上下方向に延びている。
【００７６】
電線Ｕには、Ｕ相の電流が流れる。電線Ｕは、接続導体１０Ｕに接続された端子導体４０の接続部４３に、ボルトで接続されている。電線Ｕから、端子導体４０および接続導体１０Ｕを経由して、図２に示す交流入力端子Ｔ２へ、交流電力が供給される。
【００７７】
電線Ｖには、Ｖ相の電流が流れる。電線Ｖは、接続導体１０Ｖに接続された端子導体５０の接続部５３に、ボルトで接続されている。電線Ｖから、端子導体５０および接続導体１０Ｖを経由して、図２に示す交流入力端子Ｔ２へ、交流電力が供給される。
【００７８】
電線Ｗには、Ｗ相の電流が流れる。電線Ｗは、接続導体１０Ｗに接続された端子導体６０の接続部６３に、ボルトで接続されている。電線Ｗから、端子導体６０および接続導体１０Ｗを経由して、図２に示す交流入力端子Ｔ２へ、交流電力が供給される。
【００７９】
接続部４３，５３，６３が上下方向に延びているために、上下方向に延びる電線Ｕ，Ｖ，Ｗを曲げることなく、電線Ｕ，Ｖ，Ｗを接続部４３，５３，６３に接続することが可能とされている。接続部４３，５３，６３が前後方向に延びており、左右方向において接続部４３，５３の間および接続部５３，６３の間に空間が形成されているために、電線Ｕ，Ｖ，Ｗを接続部４３，５３，６３に接続する作業者は、接続装置１の前方から容易に接続作業を行なうことが可能となっている。
【００８０】
図１２は、端子導体４０，５０，６０に電線Ｕ，Ｖ，Ｗを接続した状態を示す第２の図である。電線Ｕ，Ｖ，Ｗは、図３に示す底面９４を貫通して、下方から筐体９０の内部へ引き込まれている。電線Ｕ，Ｖ，Ｗは、上下方向に延びている。
【００８１】
電線Ｕは、接続導体３０Ｕに接続された端子導体４０の接続部４３に、ボルトで接続されている。図２に示す交流出力端子Ｔ３から、接続導体３０Ｕおよび端子導体４０を経由して、電線Ｕへ交流電力が出力される。
【００８２】
電線Ｖは、接続導体３０Ｖに接続された端子導体５０の接続部５３に、ボルトで接続されている。図２に示す交流出力端子Ｔ３から、接続導体３０Ｖおよび端子導体５０を経由して、電線Ｖへ交流電力が出力される。
【００８３】
電線Ｗは、接続導体３０Ｗに接続された端子導体６０の接続部６３に、ボルトで接続されている。図２に示す交流出力端子Ｔ３から、接続導体３０Ｗおよび端子導体６０を経由して、電線Ｗへ交流電力が出力される。
【００８４】
接続部４３，５３，６３が上下方向に延びているために、上下方向に延びる電線Ｕ，Ｖ，Ｗを曲げることなく、電線Ｕ，Ｖ，Ｗを接続部４３，５３，６３に接続することが可能とされている。
【００８５】
図１３は、図８とは異なる姿勢で、端子導体４０，５０，６０を接続導体１０Ｕ，１０Ｖ，１０Ｗに取り付けた状態を示す斜視図である。図１３に示すように、端子導体４０は接続導体１０Ｗに取り付けられている。端子導体５０は接続導体１０Ｖに取り付けられている。端子導体６０は接続導体１０Ｕに取り付けられている。
【００８６】
端子導体４０の固定部４１の一方の表面４１ａ（図５参照）が、接続導体１０Ｗの屈曲部１２Ｗの表面１２Ｗａ（図４参照）に対向している。固定部４１の一方の表面４１ａは、屈曲部１２Ｗの表面１２Ｗａに面接触している。連結部４２は、上下方向に延び、かつ前後方向に延びている。連結部４２に対して直交している接続部４３は、上下方向に延び、かつ左右方向に延びている。端子導体４０の接続部４３は、接続導体１０Ｗの基部１１Ｗと同じ方向に延びている。
【００８７】
端子導体５０の固定部５１の一方の表面５１ａ（図６参照）が、接続導体１０Ｖの屈曲部１２Ｖの表面１２Ｖａ（図４参照）に対向している。固定部５１の一方の表面５１ａは、屈曲部１２Ｖの表面１２Ｖａに面接触している。連結部５２は、上下方向に延び、かつ前後方向に延びている。連結部５２に対して直交している接続部５３は、上下方向に延び、かつ左右方向に延びている。端子導体５０の接続部５３は、接続導体１０Ｖの基部１１Ｖと同じ方向に延びている。
【００８８】
端子導体６０の固定部６１の一方の表面６１ａ（図７参照）が、接続導体１０Ｕの屈曲部１２Ｕの表面１２Ｕａ（図４参照）に対向している。固定部６１の一方の表面６１ａは、屈曲部１２Ｕの表面１２Ｕａに面接触している。連結部６２は、上下方向に延び、かつ前後方向に延びている。連結部６２に対して直交している接続部６３は、上下方向に延び、かつ左右方向に延びている。端子導体６０の接続部６３は、接続導体１０Ｗの基部１１Ｗと同じ方向に延びている。
【００８９】
接続部４３，５３，６３は、互いに平行に配置されている。接続部４３と接続部５３とは、前後方向に隣り合って、間隔を空けて並べられている。接続部５３と接続部６３とは、前後方向に隣り合って、間隔を空けて並べられている。接続部５３は、接続部４３よりも左側かつ後側に配置されている。接続部６３は、接続部５３よりも左側かつ後側に配置されている。
【００９０】
接続部４３，５３，６３は、前後方向および左右方向において、互いにずれた位置に配置されている。前後方向から見て、接続部４３の一部が接続部５３と重なり、接続部５３の一部が接続部４３，６３と重なり、接続部６３の一部が接続部５３と重なっている。
【００９１】
連結部４２，５２，６２は、互いに平行に配置されている。連結部４２と連結部５２とは、左右方向に隣り合って、間隔を空けて並べられている。連結部５２と連結部６２とは、左右方向に隣り合って、間隔を空けて並べられている。連結部５２は、連結部４２よりも左側かつ後側に配置されている。連結部６２は、連結部５２よりも左側かつ後側に配置されている。連結部４２，５２，６２は、前後方向および左右方向において互いにずれた位置に配置されている。
【００９２】
端子導体４０と端子導体５０とを連結する連結部材８１の板金８２は、連結部４２の左側の面に取り付けられている。板金８３は、連結部５２の右側の面に取り付けられている。板金８２、碍子８４および板金８３は、右側から左側へ向かってこの順に並べられて、一体に連結されている。
【００９３】
端子導体５０と端子導体６０とを連結する連結部材８６の板金８７は、連結部５２の左側の面に取り付けられている。板金８８は、連結部６２の右側の面に取り付けられている。板金８７、碍子８９および板金８８は、右側から左側へ向かってこの順に並べられて、一体に連結されている。
【００９４】
図１４は、図１０とは異なる姿勢で、図３に示す接続導体に端子導体４０，５０，６０を取り付けた状態を示す斜視図である。上述した接続導体１０Ｗ，１０Ｖ，１０Ｕのそれぞれに端子導体４０，５０，６０が取り付けられている構成と同様に、接続導体２０Ｗ，２０Ｖ，２０Ｕのそれぞれに端子導体４０，５０，６０が取り付けられており、接続導体３０Ｗ，３０Ｖ，３０Ｕのそれぞれに端子導体４０，５０，６０が取り付けられている。
【００９５】
図１５は、端子導体４０，５０，６０に電線Ｕ，Ｖ，Ｗを接続した状態を示す第３の図である。電線Ｕ，Ｖ，Ｗは、図１に示す左側面９３を貫通して、側方から筐体９０の内部へ引き込まれている。電線Ｕ，Ｖ，Ｗは、左右方向に延びている。
【００９６】
電線Ｕは、接続導体１０Ｕに接続された端子導体６０の接続部６３に、ボルトで接続されている。電線Ｕから、端子導体６０および接続導体１０Ｕを経由して、図２に示す交流入力端子Ｔ２へ、交流電力が供給される。
【００９７】
電線Ｖは、接続導体１０Ｖに接続された端子導体５０の接続部５３に、ボルトで接続されている。電線Ｖから、端子導体５０および接続導体１０Ｖを経由して、図２に示す交流入力端子Ｔ２へ、交流電力が供給される。
【００９８】
電線Ｗは、接続導体１０Ｗに接続された端子導体４０の接続部４３に、ボルトで接続されている。電線Ｗから、端子導体４０および接続導体１０Ｗを経由して、図２に示す交流入力端子Ｔ２へ、交流電力が供給される。
【００９９】
接続部４３，５３，６３が左右方向に延びているために、左右方向に延びる電線Ｕ，Ｖ，Ｗを曲げることなく、電線Ｕ，Ｖ，Ｗを接続部６３，５３，４３に接続することが可能とされている。接続部４３，５３，６３が左右方向に延びており、前後方向において接続部４３，５３の間および接続部５３，６３の間に空間が形成されているために、電線Ｕ，Ｖ，Ｗを接続部４３，５３，６３に接続する作業者は、接続装置１の左側方から容易に接続作業を行なうことが可能となっている。
【０１００】
次に、本実施形態の作用効果について説明する。なお、実施の形態の構成に参照番号を付すが、これは一例である。
【０１０１】
本実施形態の接続装置１は、電気機器の一例としての無停電電源装置１００と電線Ｕ，Ｖ，Ｗとを接続するための装置である。接続装置１は、図３，４に示すように、接続導体１０Ｖを備えている。接続導体１０Ｖは、図２に示す無停電電源装置１００の交流入力端子Ｔ２に接続されている。接続導体１０Ｖは、第１の接続部材としての機能を有している。接続装置１はまた、端子導体５０を備えている。図８，１３に示すように、端子導体５０は、接続導体１０Ｖに取り付けられている。図１１，１２，１５に示すように、接続装置１の筐体９０内に引き込まれた電線Ｖは、端子導体５０に接続されている。端子導体５０は、第２の接続部材としての機能を有している。
【０１０２】
図８〜１２に示すように、端子導体５０は、端子導体５０に電線Ｖが接続される接続部５３が接続装置１の前後方向に延びる第１の姿勢で、接続導体１０Ｖに取り付けられている。図１３〜１５に示すように、端子導体５０は、接続部５３が接続装置１の左右方向に延びる第２の姿勢で、接続導体１０Ｖに取り付けられている。
【０１０３】
上方または下方より電線Ｖが接続装置１に引き込まれるときには、端子導体５０を図８に示す第１の姿勢で接続導体１０Ｖに取り付ける。これにより、上下方向に延びる電線Ｖを曲げることなく、電線Ｖを端子導体５０の接続部５３に接続できる。左側方より電線Ｖが接続装置１に引き込まれるときには、端子導体５０を図１３に示す第２の姿勢で接続導体１０Ｖに取り付ける。これにより、左右方向に延びる電線Ｖを曲げることなく、電線Ｖを端子導体５０の接続部５３に接続できる。
【０１０４】
無停電電源装置１００を据え付ける現場において、無停電電源装置１００および接続装置１の周辺に限られた空間しか存在せず、電線Ｖの引込み方向が上方、下方または側方のいずれかに限定される場合がある。本実施形態の接続装置１によれば、無停電電源装置１００の据付け状況に応じて、電線Ｖが上方、下方、側方のいずれの方向から引き込まれる場合でも、電線Ｖを曲げることなく、無停電電源装置１００と電線Ｖとを接続することができる。
【０１０５】
電線Ｖの引込み方向が上方、下方、側方のいずれの方向であっても電線Ｖを曲げる必要がなく、電線Ｖを端子導体５０に接続するときの作業性を向上できる。電線の曲げ作業のための空間、および曲げた電線を配置するための空間を筐体９０の内部に確保する必要がなく、電線の配索に必要とする空間を小さくすることができる。
【０１０６】
端子導体５０の取付方向を変更できることにより、電線Ｖの引込み方向が上下方向と左右方向との両方の場合において、一つの端子導体５０を用いて電線Ｖと端子導体５０との接続が可能になる。電線Ｖの引込み方向に合わせて端子導体５０を接続導体１０Ｖに取り付けることにより、電線Ｖを曲げることなく端子導体５０に接続することができる。電線の引込み方向毎に端子導体の種類を変える必要はなく、同じ端子導体５０を用いて、異なる方向から引き込まれる電線Ｖを曲げずに接続することができる。
【０１０７】
また図３，４に示すように、接続装置１は、接続導体１０Ｕ，１０Ｗを備えている。接続導体１０Ｕ，１０Ｗは、図２に示す無停電電源装置１００の交流入力端子Ｔ２に接続されている。接続導体１０Ｕ，１０Ｗは、第１の接続部材としての機能を有している。接続装置１はまた、端子導体４０，６０を備えている。図８，１３に示すように、端子導体４０，６０は、接続導体１０Ｕ，１０Ｗのいずれか一方に取り付けられている。図１１，１２，１５に示すように、接続装置１の筐体９０内に引き込まれた電線Ｕ，Ｗは、端子導体４０，６０のいずれか一方に接続されている。端子導体４０，６０は、第２の接続部材としての機能を有している。接続装置１は、複数の接続導体１０Ｕ，１０Ｖ，１０Ｗと、複数の端子導体４０，５０，６０とを備えている。
【０１０８】
三相３線式の場合など複数の電線を接続装置１に引き込んで配線する場合に、各々の電線を曲げて接続する必要があると、より大きな空間が必要になる。接続装置１が接続導体１０Ｕ，１０Ｖ，１０Ｗと端子導体４０，５０，６０とを複数備えており、複数本の電線Ｕ，Ｖ，Ｗを引き込む場合に、本実施形態のように電線Ｕ，Ｖ，Ｗを曲げる必要なく接続できる構成とすることにより、必要な空間を低減できる効果をより顕著に得ることができる。
【０１０９】
また図８，９，１３に示すように、接続装置１は、互いに隣り合う２つの端子導体４０，５０を連結する連結部材８１を備えている。接続装置１は、互いに隣り合う２つの端子導体５０，６０を連結する連結部材８６を備えている。このようにすれば、端子導体４０，５０，６０を片持ち支持する長さを低減でき、接続装置１の強度を向上することができる。
【０１１０】
また図８，９，１３に示すように、連結部材８１，８６は、各々碍子８４，８９を有している。このようにすれば、隣り合う端子導体４０，５０および５０，６０間の電気的な絶縁を確保することができる。
【０１１１】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【０１１２】
１  接続装置、２，１０２  フレーム、３，４，５  支持部材、１０Ｕ，１０Ｖ，１０Ｗ，２０Ｕ，２０Ｖ，２０Ｗ，３０Ｕ，３０Ｖ，３０Ｗ  接続導体、１１Ｕ，１１Ｖ，１１Ｗ  基部、１２Ｕ，１２Ｖ，１２Ｗ  屈曲部、１２Ｕａ，１２Ｖａ，１２Ｗａ，４１ａ，４１ｂ，５１ａ，５１ｂ，６１ａ，６１ｂ  表面、１２ｈ，４１ｈ，４２ｈ，４３ｈ，５１ｈ，５２ｈ，５３ｈ，６１ｈ，６２ｈ，６３ｈ  貫通孔、４０，５０，６０  端子導体、４１，５１，６１  固定部、４２，５２，６２  連結部、４３，５３，６３  接続部、４４，４５，５４，５５，６４，６５  湾曲部、７１，７４  固定部材、７２，７３，８１，８６  連結部材、７２ａ，７３ａ  導電部、７２ｂ，７３ｂ  絶縁部、８２，８３，８７，８８  板金、８４，８９  碍子、９０，１９０  筐体、９１，１９１  天井面、９２，１９２  前面、９３  左側面、９４  底面、９５，１９５  開口部、１００  無停電電源装置、１０５  コンバータ、１０７  インバータ、１１２，１１５  スイッチ、１１４  無瞬断切替スイッチ、１２１，１２２  交流電源、１２３  負荷、１３０  バッテリ、１３０ａ  正極、１９８  操作パネル、Ｔ１  バイパス入力端子、Ｔ２  交流入力端子、Ｔ３  交流出力端子、Ｔ４  直流入力端子、Ｕ，Ｖ，Ｗ  電線。
【図１】
0006403273.tif 000002
【図２】
0006403273.tif 000003
【図３】
0006403273.tif 000004
【図４】
0006403273.tif 000005
【図５】
0006403273.tif 000006
【図６】
0006403273.tif 000007
【図７】
0006403273.tif 000008
【図８】
0006403273.tif 000009
【図９】
0006403273.tif 000010
【図１０】
0006403273.tif 000011
【図１１】
0006403273.tif 000012
【図１２】
0006403273.tif 000013
【図１３】
0006403273.tif 000014
【図１４】
0006403273.tif 000015
【図１５】
0006403273.tif 000016